(57)【要約】【課題】従来は、アンプの付属品を容易に選定することが難しいという問題があった。【解決手段】本実施例のアンプ選定装置は、モータの識別情報及び仕様、並びにアンプの識別情報及びアンプの仕様に関する情報を記憶した記憶部と、表示装置に、モータ選定指令入力部と共にモータの識別情報及び仕様を含むモータのリストを表示する表示制御部と、選定指令に従ってモータを選定するモータ選定部と、アンプの仕様に基づいて、モータの仕様を満たすアンプを選定するアンプ選定部と、付属品の識別情報、付属品を使用可能なアンプの識別情報、及び付帯情報が記憶された付属品情報記憶部と、付属品情報記憶部を参照して、選定されたアンプに使用可能な付属品を選定する付属品選定部と、選定された付属品のリストを表示装置に表示する付属品リスト表示制御部と、を備え、表示制御部は、選定された付属品、アンプ、及びモータを接続した配線図を表示装置に表示する。【選択図】図３
2019058046.tif 000002
【特許請求の範囲】
【請求項１】
表示装置を備え、モータ、アンプ及び該アンプの付属品の選定を行うためのアンプ選定装置であって、
モータの識別情報及びモータの仕様、並びにアンプの識別情報及び前記モータを駆動するためのアンプの仕様に関する情報を記憶する記憶部と、
前記表示装置に、モータを選定するためのモータ選定指令入力部と共に前記記憶部に記憶されたモータの識別情報及びモータの仕様を含むモータのリストを表示する表示制御部と、
前記モータ選定指令入力部に入力された選定指令に従ってモータを選定するモータ選定部と、
前記記憶部に記憶されたアンプの仕様に基づいて、選定された前記モータの仕様を満たすアンプを選定するアンプ選定部と、
前記付属品の識別情報、前記付属品を使用可能なモータ或いはアンプの識別情報、及び付帯情報を記憶する付属品情報記憶部と、
前記付属品情報記憶部を参照して、選定された前記アンプに使用可能な付属品を選定する付属品選定部と、
選定された前記付属品の一覧を示す付属品リストを前記表示装置に表示する付属品リスト表示制御部と、を備え、
前記表示制御部は、前記付属品情報記憶部に記憶された情報に基づいて、選定された前記付属品、該付属品を使用可能なアンプ、及び選定された前記モータを接続した配線図を前記表示装置に表示するアンプ選定装置。
【請求項２】
前記付属品リスト表示制御部は、前記付属品情報記憶部に記憶された情報に基づいて、少なくとも前記付属品の識別情報、前記付属品を使用可能なモータ或いはアンプの識別情報及び前記付帯情報を含む付属品リストを前記表示装置に表示する、請求項１に記載のアンプ選定装置。
【請求項３】
前記付属品情報記憶部に記憶された前記付属品に関する情報には、前記付属品が、必要な付属品及び追加機能用付属品のいずれであるかを示す情報を含み、
前記付属品リスト表示制御部は、前記付属品に関する情報に基づいて、前記付属品リストを、必要な付属品を表示する必要付属品リストと追加機能用付属品を表示する追加機能用付属品リストに分けて前記表示装置に表示する、請求項２に記載のアンプ選定装置。
【請求項４】
前記付属品リスト表示制御部は、注文するか否かを選択するための注文品選定指令を受け付ける注文品選定指令入力部を前記表示装置に表示し、
前記付属品選定部は、前記注文品選定指令入力部に注文品選定指令が入力された付属品を注文の対象として選定する、請求項３に記載のアンプ選定装置。
【請求項５】
前記付属品リスト表示制御部は、必要な付属品のうちの少なくとも１つが注文の対象として選定された場合、注文の対象の付属品を一覧表示する付属品注文リストに注文の対象として選定された前記必要な付属品を表示し、
前記表示制御部は、前記必要な付属品と、該必要な付属品を使用可能なモータ或いはアンプとを接続した配線図を前記表示装置に表示する、請求項４に記載のアンプ選定装置。
【請求項６】
必要な付属品が注文の対象として選定されなかった場合、前記表示制御部は、前記必要な付属品と、該必要な付属品を使用可能なモータ或いはアンプとを接続した配線図を前記表示装置に表示すると共に、前記必要な付属品の代替品を使用することを要求する警告を表示する、請求項４に記載のアンプ選定装置。
【請求項７】
前記付属品リスト表示制御部は、前記追加機能用付属品のうちの少なくとも１つが注文の対象として選定された場合、注文の対象の付属品を一覧表示する付属品注文リストに選定された前記追加機能用付属品を表示し、
前記表示制御部は、注文の対象として選定された前記追加機能用付属品と、該追加機能用付属品を使用可能なアンプ、及び選定されたモータを接続した配線図を前記表示装置に表示する、請求項４に記載のアンプ選定装置。
【発明の詳細な説明】
【技術分野】
【０００１】
本発明は、アンプ選定装置に関し、特に、付属品を選定する機能を有するアンプ選定装置に関する。
【背景技術】
【０００２】
アンプ及びアンプの付属品を選定する際に、付属品が多数存在する場合には、その付属品の選定に多大な時間及び労力が必要となるという問題がある。特に、付属品の仕様書を参照して付属品を選定する場合に多くの時間がかかる場合があり、誤った付属品を選定する恐れもある。
【０００３】
これまでに、モータとアンプの組み合わせに応じて適用できるオプションを表示するモータ容量選定方法が知られている（例えば、特許文献１）。また、使用機器と対応する組合せ機器を選定して表示するネットワークを利用する組合せ機器選定システムが知られている（例えば、特許文献２）。さらに、電動機制御装置のオプションを選定する電動機制御装置の選定装置、電動機制御装置の選定方法、該方法を実現するコンピュータプログラム、及びその記憶媒体が知られている（例えば、特許文献３）。
【先行技術文献】
【特許文献】
【０００４】
【特許文献１】特開２００６−２６０３５０号公報
【特許文献２】国際公開第２００４／０２９８４５号
【特許文献３】国際公開第２００８／１３９８００号
【発明の概要】
【発明が解決しようとする課題】
【０００５】
しかしながら、従来技術によっては、アンプの付属品を容易に選定することが難しいという問題があった。
【課題を解決するための手段】
【０００６】
本開示の実施例に係るアンプ選定装置は、表示装置を備え、モータ、アンプ及び該アンプの付属品の選定を行うためのアンプ選定装置であって、モータの識別情報及びモータの仕様、並びにアンプの識別情報及びモータを駆動するためのアンプの仕様に関する情報を記憶した記憶部と、表示装置に、モータを選定するためのモータ選定指令入力部と共に記憶部に記憶されたモータの識別情報及びモータの仕様を含むモータのリストを表示する表示制御部と、モータ選定指令入力部に入力された選定指令に従ってモータを選定するモータ選定部と、記憶部に記憶されたアンプの仕様に基づいて、選定されたモータの仕様を満たすアンプを選定するアンプ選定部と、付属品の識別情報、付属品を使用可能なモータ或いはアンプの識別情報、及び付帯情報が記憶された付属品情報記憶部と、付属品情報記憶部を参照して、選定されたアンプに使用可能な付属品を選定する付属品選定部と、選定された付属品の一覧を示す付属品リストを表示装置に表示する付属品リスト表示制御部と、を備え、表示制御部は、付属品情報記憶部に記憶された情報に基づいて、選定された付属品、該付属品を使用可能なアンプ、及び選定されたモータを接続した配線図を表示装置に表示する。
【発明の効果】
【０００７】
本開示の実施例に係るアンプ選定装置によれば、アンプの付属品を容易に選定することができる。
【図面の簡単な説明】
【０００８】
【図１】実施例１に係るアンプ選定装置のブロック図である。
【図２Ａ】実施例１に係るアンプ選定装置の記憶部に記憶されたモータに関する情報を含むデータベースの一例を示す表である。
【図２Ｂ】実施例１に係るアンプ選定装置の記憶部に記憶されたアンプに関する情報を含むデータベースの一例を示す表である。
【図３】実施例１に係るアンプ選定装置の表示装置の表示例を示す図である。
【図４】実施例１に係るアンプ選定装置の表示装置に表示されるモータのリストの一例を示す表である。
【図５】実施例１に係るアンプ選定装置の付属品情報記憶部に記憶された付属品に関する情報を含むデータベースの一例を示す表である。
【図６】実施例１に係るアンプ選定装置の付属品リスト表示制御部が表示装置に示す付属品リストの一例を示す表である。
【図７】実施例１に係るアンプ選定装置の表示制御部が表示装置に表示するアンプと付属品とを接続した配線図の一例である。
【図８】実施例１に係るアンプ選定装置の動作手順を説明するためのフローチャートである。
【図９】実施例２に係るアンプ選定装置の付属品情報記憶部に記憶された付属品に関する情報を含む付属品データベースの一例を示す表である。
【図１０】実施例２に係るアンプ選定装置の表示装置の表示例を示す図である。
【図１１Ａ】実施例２に係るアンプ選定装置の付属品リスト表示制御部が表示装置に示す必要付属品リストの一例を示す表である。
【図１１Ｂ】実施例２に係るアンプ選定装置の付属品リスト表示制御部が表示装置に示す追加機能用付属品リストの一例を示す表である。
【図１２】実施例２に係るアンプ選定装置の付属品リスト表示制御部が表示装置に示す付属品注文リストの一例を示す表である。
【図１３】実施例２に係るアンプ選定装置の動作手順を説明するためのフローチャートである。
【発明を実施するための形態】
【０００９】
以下、図面を参照して、本発明に係るアンプ選定装置について説明する。ただし、本発明の技術的範囲はそれらの実施の形態には限定されず、特許請求の範囲に記載された発明とその均等物に及ぶ点に留意されたい。
【００１０】
まず、実施例１に係るアンプ選定装置について説明する。図１に実施例１に係るアンプ選定装置のブロック図を示す。実施例１に係るアンプ選定装置１０１は、入力装置１、表示装置２及び制御装置１００を備え、モータ、アンプ及び該アンプの付属品の選定を行う。
【００１１】
入力装置１として、例えば、キーボードやマウス等を用いることができる。あるいは、入力装置１として、表示装置２と重ねて配置したタッチパネルを用いることもできる。入力装置１により、所望のモータを選定入力したり、注文対象の付属品を選定入力したりする場合の選定入力情報がアンプ選定装置１０１の制御装置１００に入力される。
【００１２】
表示装置２として、液晶表示装置や有機ＥＬ表示装置等を用いることができる。表示装置２は、入力装置１による情報の入力画面や、アンプ選定装置１０１が選定したアンプのリスト、付属品のリスト、及びアンプと付属品とが接続された配線図等を表示する。
【００１３】
制御装置１００は、記憶部３と、モータ選定部４と、アンプ選定部５と、付属品情報記憶部６と、付属品選定部７と、付属品リスト表示制御部８と、表示制御部９と、を有する。
【００１４】
記憶部３は、モータの識別情報及びモータの仕様、並びにアンプの識別情報及びモータを駆動するためのアンプの仕様に関する情報を記憶する。
【００１５】
図２Ａに、実施例１に係るアンプ選定装置１０１の記憶部３に記憶されたモータに関する情報を含むデータベースの一例を示す。モータに関する情報を含むデータベースには、モータの識別情報及びアンプに対するモータの要求仕様に関する情報が含まれる。モータの識別情報とはモータのモデル名や型番等である。例えば、モータの識別情報として、「モータＡ」乃至「モータＦ」が挙げられ、アンプに対するモータの要求仕様として、「連続定格電流」が挙げられる。ただし、これらは一例であって、モータの要求仕様として、短時間定格電流、加速時最大電流等、他の仕様値を選択してもよい。
【００１６】
図２Ｂに実施例１に係るアンプ選定装置の記憶部に記憶されたアンプに関する情報を含むデータベースの一例を示す。アンプに関する情報を含むデータベースには、アンプの識別情報及びモータを駆動するためのアンプの仕様に関する情報が含まれる。例えば、アンプの識別情報として、「アンプＡ」乃至「アンプＦ」といったモデル名等が挙げられ、アンプの仕様として、「連続定格電流」が挙げられる。ただし、これらは一例であって、モータを駆動するためのアンプの仕様として、モータの要求仕様に合わせて、短時間定格電流、加速時最大電流等、他の仕様値を選択してもよい。
【００１７】
図３に、実施例１に係るアンプ選定装置１０１の表示装置２の表示例を示す。表示装置２は表示画面３１を備えており、文字情報や図形等を表示することができる。表示画面３１は、例えば、モータ選定領域３２、アンプ選定領域３３、付属品選定領域３４、配線図表示領域３５を表示することができる。
【００１８】
表示制御部９は、表示装置２に、モータを選定するためのモータ選定指令入力部と共に記憶部３に記憶されたモータの識別情報及びモータの仕様を含むモータのリスト３２０を表示する。
【００１９】
モータ選定部４は、モータ選定指令入力部に入力された選定指令に従ってモータを選定する。図４に実施例１に係るアンプ選定装置１０１の表示装置２に表示されるモータのリスト３２０の一例を示す。モータのリスト３２０は図３に示した表示装置２の表示画面３１上のモータ選定領域３２に表示される。モータ選定指令入力部は、複数のモータの識別情報のそれぞれに並置して表示されたボタン等であり、表示されたボタンをクリックすることにより選定指令が入力される。図４においては、初期状態においてはモータ選定指令入力部に白い四角形状の記号で表示され、クリックされて選定されたモータは黒い四角形状の記号で表示される例を示している。例えば、モータの識別情報として「モータＡ」乃至「モータＦ」がモータ選定領域３２に表示され、「モータＢ」及び「モータＥ」の近傍に表示されたボタンをクリックすることにより「モータＢ」及び「モータＥ」が選定される。モータ選定指令入力部の形態はボタンに限らず、プルダウンリストやその他の形式でもよい。
【００２０】
アンプ選定部５は、記憶部３に記憶されたアンプの仕様に基づいて、選定されたモータの仕様を満たすアンプを選定する。例えば、図４に示すように、モータ選定指令入力部に選定指令が入力された「モータＢ」及び「モータＥ」が選定された場合、図２Ａに示したモータの情報を含むデータベースから、「モータＢ」及び「モータＥ」の要求仕様は、連続定格電流がそれぞれ「１０［Ａ］」、「２５［Ａ］」であることがわかる。このとき、図２Ｂに示したアンプの情報を含むデータベースから、このモータの要求仕様を満たすアンプは、「アンプＢ」及び「アンプＥ」であり、これらのアンプが選定される。
【００２１】
選定されたアンプのリストは、図３に示すように、表示装置２のアンプ選定領域３３に表示されるようにしてもよい。
【００２２】
付属品情報記憶部６は、付属品の識別情報、付属品を使用可能なモータ或いはアンプの識別情報、及び付帯情報を記憶する。図５に、実施例１に係るアンプ選定装置１０１の付属品情報記憶部６に記憶された付属品に関する情報を含むデータベース（付属品データベース）の一例を示す。図５には、一例として、付属品として「ＡＣラインフィルタ」と「冷却ファンモータ」を例示しているが、付属品は、これらには限られない。「ＡＣラインフィルタＡ」乃至「ＡＣラインフィルタＦ」及び「冷却ファンモータＡ」乃至「冷却ファンモータＦ」は、付属品の識別情報の例である。また、「アンプＡ」乃至「アンプＦ」は、付属品「ＡＣラインフィルタＡ〜Ｆ」と「冷却ファンモータＡ〜Ｆ」を使用可能なアンプを示している。付属品データベースに含まれる情報には、付帯情報が含まれるようにしてもよい。付帯情報の例として、付属品の使用上の注意事項に関する情報が挙げられるが、このような例には限られない。例えば、「冷却ファンモータ」の場合は、「モータＤ、Ｅを駆動する場合、必要」との情報が付帯情報の例として挙げられるが、このような例には限られない。ここで、本実施例に係るアンプ選定装置は、付属品を選定する機能を有するが、付属品の選定の際、アンプの仕様だけでなく、アンプが駆動するモータの仕様も、付属品選定の根拠としている。例えば、センサや検出器等の付属品の選定においては、モータの最高回転数等のモータの仕様に関する情報が必要となる。
【００２３】
付属品選定部７は、付属品情報記憶部６を参照して、選定されたアンプに使用可能な付属品を選定する。また、付属品リスト表示制御部８は、選定された付属品の一覧を示す付属品リスト３４０を表示装置２に表示する。付属品リスト表示制御部８は、付属品情報記憶部６に記憶された情報に基づいて、少なくとも付属品の識別情報、付属品を使用可能なモータ或いはアンプの識別情報及び付帯情報を含む付属品リスト３４０を表示装置２に表示することが好ましい。図３に示すように、付属品リスト３４０は、表示装置２の付属品選定領域３４に表示される。
【００２４】
図６に、実施例１に係るアンプ選定装置の付属品リスト表示制御部８が付属品選定領域３４に表示する付属品リスト３４０の一例を示す。例えば、図４に示すように、モータ選定指令入力部に選定指令が入力された「モータＢ」及び「モータＥ」が選定された場合、「アンプＢ」及び「アンプＥ」が選定される。このとき、これらのアンプに使用可能な付属品として、図５に示した付属品データベースの「付属品を使用可能なモータ或いはアンプ」を参照して、「ＡＣラインフィルタＢ」及び「ＡＣラインフィルタＥ」、並びに「冷却ファンモータＢ」及び「冷却ファンモータＥ」が選定される。同様にして、例えば、「ノイズフィルタＢ」及び「ノイズフィルタＥ」、並びに「回生放電ユニットＢ」及び「回生放電ユニットＥ」が選定される。図６には、付属品として、「ＡＣラインフィルタ」、「ノイズフィルタ」、「冷却ファンモータ」及び「回生放電ユニット」を例示しているが、付属品は、これらには限られない。さらに、付属品リスト３４０に含まれる付帯情報として、「ノイズフィルタ」であれば「規格対応の場合、必要」との情報が一例として挙げられるが、このような例には限られない。
【００２５】
以上のようにして、所望のモータをリストから選定することにより、選定したモータを駆動するアンプが選定され、選定されたアンプに使用される付属品が選定される。
【００２６】
表示制御部９は、付属品情報記憶部６に記憶された情報に基づいて、選定された付属品と、該付属品を使用可能なアンプ、及び選定されたモータを接続した配線図を表示装置２に表示する。図７に、実施例１に係るアンプ選定装置の表示制御部が表示装置に表示する、アンプと付属品とを接続した配線図の一例を示す。図３に示すように、配線図は配線図表示領域３５に表示することができる。第１アンプ２０１及び第２アンプ２０２にはそれぞれ端子ｔ１〜ｔ１３及びｔ１４〜ｔ２６が設けられている。第１アンプ２０１の端子ｔ７及びｔ１０には第１モータｍ１が接続され、第２アンプ２０２の端子ｔ２０及びｔ２３には第２モータｍ２が接続されている。第１アンプ２０１の端子ｔ３にはＡＣラインフィルタａ３３が接続され、端子ｔ５には非常停止スイッチａ５が接続され、端子ｔ６及びｔ８には別置回生放電ユニットａ６が接続されている。ＡＣラインフィルタａ３３には、ブレーカ１（ａ３１）、電磁接触器ａ３２、ブレーカ２（ａ３４）、雷サージ保護器ａ３５、別置回生放電ユニット用ファンモータａ３００、及び電源１０が接続されている。第２アンプ２０２の端子ｔ２６にはバッテリケースａ２６が接続されている。その他、第１アンプ２０１の端子ｔ１には安定化電源２０が接続され、端子ｔ２にはＣＮＣ（コンピュータ数値制御装置）３０が接続されている。さらに、第１アンプ２０１には、第１ヒューズａ１０１及び別置冷却ファンモータａ１０３が設けられ、第２アンプ２０２には第２ヒューズａ１０２が設けられている。図７に示した回路図の例においてはアンプ１台がモータ１台を駆動するシステムの例を示しているがこのような例には限られず、複数のアンプがモータ１台を駆動するシステムであってもよいし、アンプ１台が複数のモータを駆動するシステムであってもよい。図７に示した配線図は一例であって、他の配線図を表示することもできる。
【００２７】
次に、実施例１に係るアンプ選定装置を用いたアンプ選定方法について説明する。図８に、実施例１に係るアンプ選定装置の動作手順を説明するためのフローチャートを示す。
【００２８】
まず、ステップＳ１０１において、記憶部３にモータの識別情報及びモータの仕様、並びにアンプの識別情報及びモータを駆動するためのアンプの仕様に関する情報を記憶させる。データベースの例は図２Ａ及び図２Ｂに示した通りである。
【００２９】
次に、ステップＳ１０２において、表示制御部９が、モータを選定するためのモータ選定指令入力部と共に記憶部３に記憶されたモータの識別情報及びモータの仕様を含むモータのリスト３２０を表示する。
【００３０】
次に、ステップＳ１０３において、モータ選定指令入力部に入力された選定指令に従ってモータを選定する。モータ選定指令入力部を含むモータのリスト３２０の例は図４に示した通りである。
【００３１】
次に、ステップＳ１０４において、アンプ選定部５が、記憶部３に記憶されたアンプの仕様に基づいて、選定されたモータの要求仕様を満たすアンプを選定する。
【００３２】
次に、ステップＳ１０５において、付属品情報記憶部６に、付属品の識別情報、付属品を使用可能なモータ或いはアンプの識別情報、及び付帯情報を記憶させる。付属品データベースの例は図５に示した通りである。
【００３３】
次に、ステップＳ１０６において、付属品選定部７が、付属品情報記憶部６を参照して、選定されたモータ或いはアンプに使用可能な付属品を選定する。
【００３４】
次に、ステップＳ１０７において、付属品リスト表示制御部８が、選定された付属品の一覧を示す付属品リスト３４０を表示装置２に表示する。付属品リスト３４０の例は図６に示した通りである。
【００３５】
次に、ステップＳ１０８において、表示制御部９が、付属品情報記憶部６に記憶された情報に基づいて、選定された付属品、該付属品を使用可能なアンプ、及び選定されたモータを接続した配線図を表示装置２に表示する。配線図の例は図７に示した通りである。
【００３６】
以上のように、実施例１に係るアンプ選定装置によれば、アンプの付属品を容易に選定することができる。さらに、選定された付属品をモータ或いはアンプと接続した配線図を表示装置に表示させることができる。
【００３７】
次に、実施例２に係るアンプ選定装置について説明する。実施例２に係るアンプ選定装置が、実施例１に係るアンプ選定装置と異なっている点は、付属品情報記憶部６に記憶された付属品に関する情報には、付属品が、必要な付属品及び追加機能用付属品のいずれであるかを示す情報を含み、付属品リスト表示制御部８は、付属品に関する情報に基づいて、付属品リスト３４０を、必要な付属品を表示する必要付属品リスト３４１と追加機能用付属品を表示する追加機能用付属品リスト３４２に分けて表示装置２に表示する点である。実施例２に係るアンプ選定装置のその他の構成は、実施例１に係るアンプ選定装置における構成と同様であるので詳細な説明は省略する。
【００３８】
図９に実施例２に係るアンプ選定装置の付属品情報記憶部６に記憶された付属品に関する情報を含む付属品データベースの一例を示す。実施例２に係るアンプ選定装置の付属品情報記憶部６に記憶された付属品データベースは、備考欄に「必要な付属品」であるか「追加機能用付属品」であるかを示す情報を含んでいる。図９に示した例では、「ＡＣラインフィルタＡ」乃至「ＡＣラインフィルタＦ」が「必要な付属品」であり、「冷却ファンモータＡ」乃至「冷却ファンモータＦ」が「追加機能用付属品」である例を示しているが、このような例には限られない。
【００３９】
図１０に実施例２に係るアンプ選定装置の表示装置の表示例を示す。付属品リスト表示制御部８は、付属品リスト３４０を、必要な付属品を表示する必要付属品リスト３４１と追加機能用付属品を表示する追加機能用付属品リスト３４２に分けて表示装置２の付属品選定領域３４に表示する。
【００４０】
図１１Ａ及び図１１Ｂに実施例２に係るアンプ選定装置の付属品リスト表示制御部８が表示装置２に示す必要付属品リスト３４１及び追加機能用付属品リスト３４２の一例を示す。図１１Ａに示すように、必要付属品リスト３４１には、「ＡＣラインフィルタＢ」、「ＡＣラインフィルタＥ」、「冷却ファンモータＥ」、「回生放電ユニットＢ」、及び「回生放電ユニットＥ」が含まれる。また、図１１Ｂに示すように、追加機能用付属品リスト３４２には、「冷却ファンモータＢ」、「ノイズフィルタＢ」、及び「ノイズフィルタＥ」が含まれる。ただし、これらは一例であって、このような例には限られない。付属品リスト３４０を、必要付属品リスト３４１と追加機能用付属品リスト３４２に分けて表示することによって、付属品が必要な付属品であるか追加機能用付属品であるかを瞬時に認識することができる。
【００４１】
さらに、付属品リスト表示制御部８は、注文するか否かを選択するための注文品選定指令を受け付ける注文品選定指令入力部を表示し、該注文品選定指令入力部に注文品選定指令が入力された付属品を注文の対象として選定するようにしてもよい。図１１Ａ及び図１１Ｂにおいては、初期状態においては注文品選定指令入力部に白い四角形状の記号で表示され、クリックされて選定された注文品は黒い四角形状の記号で表示される例を示している。例えば、付属品の識別情報として「ＡＣラインフィルタＢ」、「ＡＣラインフィルタＥ」が付属品選定領域３４に表示され、「ＡＣラインフィルタＥ」の近傍に表示されたボタンをクリックすることにより「ＡＣラインフィルタＥ」が注文品として選定される。注文品選定指令入力部の形態はボタンに限らず、プルダウンリストやその他の形式でもよい。
【００４２】
図１１Ａに示した例では、必要付属品リスト３４１のうち、「ＡＣラインフィルタＥ」、「冷却ファンモータＥ」及び「回生放電ユニットＥ」が注文品として選定された例を示している。また、図１１Ｂに示した例では、追加機能用付属品リスト３４２のうち、「冷却ファンモータＢ」及び「ノイズフィルタＥ」が注文品として選定された例を示している。図１１Ａ及び図１１Ｂに示すように、必要付属品リスト３４１及び追加機能用付属品リスト３４２に、注文するか否かを選択するための注文品選定指令を受け付ける注文品選定指令入力部を表示することによって、注文品を容易に選定することができる。
【００４３】
注文品選定指令入力部に注文品選定指令が入力された付属品を注文の対象として選定した結果を付属品注文リストとしてまとめるようにしてもよい。図１２に、実施例２に係るアンプ選定装置の付属品リスト表示制御部８が表示装置２に示す付属品注文リストの一例を示す。付属品注文リストは表示装置２の付属品選定領域３４に表示することができる。注文の対象となった付属品を付属品注文リストとしてまとめて表示することにより、注文品を容易に認識することができる。
【００４４】
図１１Ａ及び図１１Ｂに示した例では、付属品リスト３４０を必要付属品リスト３４１及び追加機能用付属品リスト３４２に分けた状態で注文品選定指令入力部を表示する例を示したが、このような例には限られない。例えば、図６に示したように、付属品リスト３４０を必要付属品リスト３４１及び追加機能用付属品リスト３４２に分ける前の状態で注文品選定指令入力部を表示するようにしてもよい。
【００４５】
次に、実施例２に係るアンプ選定装置を用いたアンプ及び付属品の選定方法について説明する。図１３に実施例２に係るアンプ選定装置の動作手順を説明するためのフローチャートを示す。まず、ステップＳ２０１において、モータ選定部４及びアンプ選定部５がアンプ及びモータを選定する。アンプ及びモータの選定方法は実施例１における手順と同様である。
【００４６】
次に、ステップＳ２０２において、付属品選定部７が、図６に示すような付属品リスト３４０を作成する。この段階では必要な付属品であるか追加機能用付属品であるかを分けていない。
【００４７】
次に、ステップＳ２０３において、付属品リスト表示制御部８は、付属品データベースに基づいて、付属品の種別が必要な付属品であるか追加機能用付属品であるかを判断する。
【００４８】
付属品リスト表示制御部８は、ステップＳ２０４において、追加機能用付属品である付属品について追加機能用付属品リスト３４２を作成する。この際、追加機能用付属品リスト３４２には注文するか否かを選択するための注文品選定指令を受け付ける注文品選定指令入力部を表示する。
【００４９】
次に、ステップＳ２０５において、付属品リスト表示制御部８は、追加機能用付属品リスト３４２に記載された付属品が注文品として選定されたか否かを判断する。
【００５０】
追加機能用付属品リスト３４２に記載された付属品が注文品ではないと判断された場合には、ステップＳ２０６において、追加機能用付属品を付属品注文リストに非表示とし、配線図にも非表示とする。このように、付属品リスト表示制御部８は、追加機能用付属品が注文の対象として選定されなかった場合、注文の対象の付属品を一覧表示する付属品注文リストに追加機能用付属品を表示せず、表示制御部９は、追加機能用付属品と、該追加機能用付属品を使用可能なアンプ、及び選定されたモータを接続した配線図を表示装置２に表示しない。
【００５１】
一方、追加機能用付属品リスト３４２に記載された付属品が注文品であると判断された場合には、ステップＳ２０７において、追加機能用付属品を付属品注文リストに表示し、配線図に表示する。このように、付属品リスト表示制御部８は、追加機能用付属品のうちの少なくとも１つが注文の対象として選定された場合、注文の対象の付属品を一覧表示する付属品注文リストに選定された追加機能用付属品を表示し、表示制御部９は、注文の対象として選定された追加機能用付属品と該追加機能用付属品を使用可能なアンプ、及び選定されたモータを接続した配線図を表示装置２に表示する。
【００５２】
また、付属品リスト表示制御部８は、ステップＳ２０８において、必要な付属品である付属品について必要付属品リスト３４１を作成する。この際、必要付属品リスト３４１には注文するか否かを選択するための注文品選定指令を受け付ける注文品選定指令入力部を表示する。
【００５３】
次に、ステップＳ２０９において、付属品リスト表示制御部８は、必要付属品リスト３４１に記載された付属品が注文品として選定されたか否かを判断する。
【００５４】
必要付属品リスト３４１に記載された付属品が注文品であると判断された場合には、ステップＳ２０７において、必要な付属品を付属品注文リストに表示し、配線図に表示する。このように、付属品リスト表示制御部８は、必要な付属品のうちの少なくとも１つが注文の対象として選定された場合、注文の対象の付属品を一覧表示する付属品注文リストに注文の対象として選定された必要な付属品を表示し、表示制御部９は、注文の対象として選定されたか否かに関わらず必要な付属品と、該必要な付属品を使用可能なアンプ、及び選定されたモータを接続した配線図を表示装置２に表示する。
【００５５】
必要付属品リスト３４１に記載された付属品が注文品ではないと判断された場合には、ステップＳ２１０において、必要な付属品を付属品注文リストに非表示とし、配線図に表示し、警告を表示する。このように、付属品リスト表示制御部８は、必要な付属品が注文の対象として選定されなかった場合、注文の対象の付属品を一覧表示する付属品注文リストに必要な付属品を表示しない。さらに、表示制御部９は、注文の対象として選定されたか否かに関わらず必要な付属品と、該必要な付属品を使用可能なアンプ、及び選定されたモータを接続した配線図を表示装置に表示すると共に、必要な付属品の代替品を使用することを要求する警告を表示する。例えば、付属品リスト表示制御部８は、図７に示すように、配線図上において、代替品を使用することを要求する警告の対象とした付属品（例えば、ＡＣラインフィルタａ３３）に記号（例えば、「※」）を表示するようにしてもよい。さらに、配線図の周辺に、「必要な部品のため、注文しない場合は代替品を使用してください。」等の警告を併せて表示するようにしてもよい。このような構成とすることにより、代替品を使用すべき付属品を容易に認識することができる。
【００５６】
最後に、ステップＳ２０６、Ｓ２０７、Ｓ２１０で表示または非表示とした付属品について、ステップＳ２１１において付属品注文リストを作成し、配線図を作成する。
【００５７】
以上説明したように、本実施例に係るアンプ選定装置によれば、従来多くの時間や知識が必要だった付属品の選定を自動化することができる。さらに、本実施例に係るアンプ選定装置によれば、配線図を自動表示させ、配線図を参照することによりアンプと付属品との間の配線ミスの危険性を抑制することができる。
【符号の説明】
【００５８】
１    入力装置
２    表示装置
３    記憶部
４    モータ選定部
５    アンプ選定部
６    付属品情報記憶部
７    付属品選定部
８    付属品リスト表示制御部
９    表示制御部
３１    表示画面
３２    モータ選定領域
３３    アンプ選定領域
３４    付属品選定領域
３５    配線図表示領域
１００    制御装置
３２０    モータのリスト
３４０    付属品リスト
３４１    必要付属品リスト
３４２    追加機能用付属品リスト
【図１】
2019058046.tif 000003
【図２Ａ】
2019058046.tif 000004
【図２Ｂ】
2019058046.tif 000005
【図３】
2019058046.tif 000006
【図４】
2019058046.tif 000007
【図５】
2019058046.tif 000008
【図６】
2019058046.tif 000009
【図７】
2019058046.tif 000010
【図８】
2019058046.tif 000011
【図９】
2019058046.tif 000012
【図１０】
2019058046.tif 000013
【図１１Ａ】
2019058046.tif 000014
【図１１Ｂ】
2019058046.tif 000015
【図１２】
2019058046.tif 000016
【図１３】
2019058046.tif 000017